(57)【要約】【課題】  老若男女が手足の指の爪を安全に手入れできるようにする。【解決手段】  本体１２内の直動モータが、ヤスリ板１４を収容可能なヤスリ保持容器２０を水平方向に往復駆動可能である。ヤスリ保持容器２０の前側には、ヤスリ保持容器２０に収容されるヤスリ板１４に爪が当接するように指を置くことができる指置き台１６を、本体１２に装着できる。ヤスリ保持容器２０は、指置き台１６上の指に近い位置から離れた位置に向けて、ヤスリ板１４を収容可能な複数のスロット２０Ａ，２０Ｂを有する。【選択図】  図１
2018061780.tif 000002
【特許請求の範囲】
【請求項１】
ヤスリ部材（１４）を収容可能なヤスリ保持手段（２０）と、
本体（１２）に収容され、当該ヤスリ保持手段（２０）を所定方向で往復移動させる駆動手段（２２）と、
当該ヤスリ保持手段（２０）に収容される当該ヤスリ部材（１４）に爪（４２）が当接するように指（４０）を置くことができる指置き台（１６）
とを有し、
当該指置き台（１６）が当該本体（１２）から着脱自在であり、
当該ヤスリ保持手段が、当該指置き台（１６）上の指（４０）に近い位置から離れた位置に向けて、当該ヤスリ部材（１４）を収容可能な複数のスロット（２０Ａ，２０Ｂ）を有する
ことを特徴とする爪削り器。
【請求項２】
当該ヤスリ部材（１４）の刃面が、当該駆動手段（２２）による当該ヤスリ保持手段（２０）の往復移動方向と同じ方向に延びる１以上の谷部を有することを特徴とする請求項１に記載の爪削り器。
【請求項３】
当該指置き台が、隣接する指の一方を当該指置き台の上に置き、他方を当該指置き台の下に位置させた状態で当該指置き台上の指の爪が当該ヤスリに当接可能となる厚みと奥行きを有することを特徴とする請求項１または２に記載の爪削り器。
【請求項４】
当該指置き台が円弧状の平面形状を有することを特徴とする請求項１から３のいずれか１項に記載の爪削り器。
【請求項５】
当該指置き台（１６）が、当該本体（１２）に対面する端面に当該本体（１２）に向け突出する突起（１６Ａ）を有し、当該本体（１２）が、当該突起（１６Ａ）に対応する端面に当該突起（１６Ａ）を収容する受け溝（３４）を有することを特徴とする請求項１から４のいずれか１項に記載の爪削り器。
【請求項６】
当該本体（１２）の、当該突起（１６Ａ）に対応する端面と、当該ヤスリ保持手段（２０）の前面とが、実質同じ面上に位置することを特徴とする請求項５に記載の爪削り器。
【請求項７】
当該本体（１２）を挟むように当該本体（１２）の側面（３２、３２）を押圧することで、当該駆動手段（２２）を駆動状態にし、当該本体（１２）の側面（３２，３２）を再度、押圧することで、当該駆動手段の駆動状態を停止する電源スイッチ（２８）を有することを特徴とする請求項１から６のいずれか１項に記載の爪削り器。
【発明の詳細な説明】
【技術分野】
【０００１】
本発明は、ヤスリで爪の手入れをする爪削り器に関する。
【背景技術】
【０００２】
爪の手入れする治具は、大まかに分けて、ニッパーやハサミ等のように、刃物で爪を切断する器具と、ヤスリで爪の先端を削る治具がある。前者は、爪が長い場合に容易に所望の形状に爪を切断できるが、深爪などの危険もあり、老人や幼児には危険である。また、足の爪の場合、窮屈な姿勢になりがちであり、不用意に爪を切りすぎる可能性がある。
【０００３】
ヤスリの場合、爪の端部分を少しずつ削る方式なので、爪を短くしすぎる危険性が低い。また、刃を持たないことから、幼児でも安全に使用でき、深爪を避けることが容易である。
【０００４】
このようなヤスリを使った爪削り器として、特許文献１には、ヤスリの前面に指を置く台を設け、その台を指を左右に移動可能な幅とした構成が、記載されている。特許文献２、３には、ヤスリを指の左右方向に反復移動させる電動手段を具備する構成が記載されている。特許文献２には更に、高さ方向でヤスリの粗度を相違されること、ヤスリを着脱自在とすることが記載されている。
【先行技術文献】
【特許文献】
【０００５】
【特許文献１】実開昭５０−０１０４７９号公報
【特許文献２】実開平０４−０４４８０８号公報
【特許文献３】実開昭６３−１４３２０５号公報
【発明の概要】
【発明が解決しようとする課題】
【０００６】
特許文献１に記載される構成は、安定した状態で手の指の爪先を削ることを可能にするものの、足の指の爪には適用しにくい。足の場合、指間を拡げることが難しく、希望の指の爪先を適切にヤスリに対面させることが、台があることで逆に難しくなることがある。各指の長さによっては、親指と小指の間の第２、第３及び第４の何れかの指をヤスリに対面させることが難しくなりやすい。親指と小指の厚みの相違に対応するには、ヤスリの高さを高くする必要があるが、それではコストが上昇してしまう。ヤスリ面が広くなると、幼児には却って危険になりやすい。
【０００７】
本発明は、老人から幼児・赤ん坊まで、そして、手と足の両方の爪を安全且つ容易に手入れできる爪削り器を提示することを目的とする。
【課題を解決するための手段】
【０００８】
本発明に係る爪削り器は、ヤスリ部材を収容可能なヤスリ保持手段と、本体に収容され、当該ヤスリ保持手段を所定方向で往復移動させる駆動手段と、当該ヤスリ保持手段に収容される当該ヤスリ部材に爪が当接するように指を置くことができる指置き台とを有し、当該指置き台が当該本体から着脱自在であり、当該ヤスリ保持手段が、当該指置き台上の指に近い位置から離れた位置に向けて、当該ヤスリ部材を収容可能な複数のスロットを有することを特徴とする。
【発明の効果】
【０００９】
本発明によれば、指置き台上で安定した状態で使用できるので、老若男女を問わず、容易かつ安全に爪を手入れすることができる。複数のスロットにより、指の大きさ及び爪の長さにも容易に対応できる。指の向きが拘束されないので、正面から側面に向かって幅広く爪を手入れできる。足の指のように隣接する指が邪魔になるような場合にも、必要な指の爪のみをヤスリに向けることができるので、安全に使用可能である。
【図面の簡単な説明】
【００１０】
【図１】本発明の一実施例の外観斜視図を示す。
【図２】図１のＡ−Ａから見た中央縦断面図を示す。
【図３】図１のＢ−Ｂ線から見た横断面図を示す。
【図４】ヤスリの平面図（ａ）、正面図（ｂ）及び側面図（ｃ）を示す。
【図５】指置き台の背面側からみた斜視図を示す。
【図６】爪とヤスリの関係を示す模式図である。
【発明を実施するための形態】
【００１１】
以下、図面を参照して、本発明の実施例を詳細に説明する。
【実施例１】
【００１２】
図１は、本発明の一実施例の外観斜視図を示す。図２は、図１のＡ−Ａから見た中央縦断面図を示し、図３は、図１のＢ−Ｂ線から見た横断面図を示す。
【００１３】
図１に示す爪削り器１０は主要素として、偏平化された球体形状の本体１２と、ヤスリ板１４と、爪を削る際にヤスリ板１４の歯面に向けてその爪の指を置くことができる指置き台１６を有する。ヤスリ板１４及び指置き台１６はともに、本体１２から着脱自在である。
【００１４】
本体１２の側面の一部を所定深さまで垂直にカットしてあり、その垂直壁面に、ヤスリ板１４を収容可能なヤスリ保持容器２０を配置してある。本体１２内に配置した直動モータ２２が駆動回路２４により駆動されて、ヤスリ保持容器２０を図３に矢印２６で示すように水平方向に往復並進駆動する。電源スイッチ２８をユーザがオンにすると、駆動回路２４は、電池３０の出力電力により、直動モータ２２をその出力軸が往復直線運動するように駆動する。図２及び図３では、電源スイッチ２８が本体１２の内部に配置されているように図示されているが、ユーザは、本体１２の外部から電源スイッチ２８を操作可能である。
【００１５】
本体１２を持ちやすくするように、左右の側面には円形の摩擦板３２，３２を貼り付けてある。摩擦板３２は例えば、弾性プラスチック材からなる。電源スイッチ２８をトグル動作のスイッチで構成して摩擦板３２の近傍に配置し、両側の摩擦板３２、３２を同時に強く押圧すると電源スイッチ２８がオンになり、再度、摩擦板３２、３２を同時に強く押圧すると電源スイッチ２８がオフになるようにしてもよい。
【００１６】
ヤスリ保持容器２０は、本体１２の垂直壁側のスロット２０Ａと、当該垂直壁から離れた側のスロット２０Ｂという２つのスロットを具備する。すなわち、ヤスリ保持容器２０は、指置き台１６に置いた指４０に対して近い側から離れた側に向けて複数のスロットを有する。ヤスリ板１４は、どちらのスロット２０Ａ，２０Ｂにも装着可能であり、いずれのスロット２０Ａ，２０Ｂでも装装着状態では密接にヤスリ保持容器２０により保持される。このように複数のスロット２０Ａ，２０Ｂを有することで、指置き台１６に置いた指４０に対するヤスリ板１４の距離を複数段階（図示例では、２つのスロット２０Ａ，２０Ｂがあるので、２段階）に調節できる。
【００１７】
ヤスリ保持容器２０の底面は中央部分を開口２０Ｃにしており、装着状態のヤスリ板１４をこの開口２０Ｃから押し上げることで、ヤスリ板１４をヤスリ保持容器２０から取り外すことができる。このために、ヤスリ保持容器２０の下側には、多少の空間を設けておくのが好ましい。他方、ヤスリ板１４をヤスリ保持容器２０に装着した状態で、ヤスリ板１４の頂部分が部分的にでもヤスリ保持容器２０の上方にはみ出ているような寸法にヤスリ板１４及びヤスリ保持容器２０のスロット２０Ａ，２０Ｂを設計している場合、開口２０Ｃは無くても良い。
【００１８】
図４は、ヤスリ板１４の平面図（ａ）、正面図（ｂ）及び側面図（ｃ）を示す。図４に示すように、ヤスリ板１４の刃面には、直動モータ２２による並進往復運動方向に垂直な方向で上向きの面と下向きの面を交互するように複数の谷と山を設けている。すなわち、ヤスリ板１４は、直動モータ２２による往復移動方向に延びた谷と山を有する。図示例では、図４（ｂ）に明りょうに示されるように、３つの山と、これらの間に２つの谷がある。また、谷の互いに対面する面の目を逆方向にしてある。このような構成では、単純な一方向の目構造に比べて、爪にバリを生じにくくなる。すなわち、谷の部分に指の爪が入ることで、爪の上側と下側のエッジ部分が削られることになり、バリが生じにくくなる。
【００１９】
指置き台１６は、例えば、ほぞ組み構造により本体１２に横方向からスライドさせるようにして着脱可能である。すなわち、指置き台１６の本体１２側の端面には、逆三角形の断面形状の水平方向に延在する突起１６Ａを設け、本体１２側には、この突起１６Ａを受ける受け溝３４を設ける。本体１２の、突起１６Ａに対応する端面と、ヤスリ保持容器２０の前面とが、実質同じ面上に位置するように揃えることで、爪４２を自由な角度でヤスリ板１４に当接させることが可能になる。
【００２０】
図５は、指置き台１６の背面側からみた斜視図を示す。図５では、突起１６Ａを指置き台１６の全幅でなく、片側からの一部にとどめている。これにより、指置き台１６を本体１２に装着するのに一方向からの挿入に制限されるが、装着状態を規定の位置に規制することができる。他方、突起１６Ａを全幅に設けた場合、どちらの方向からも指置き台１６を本体１２に装着できるが、中途半端な位置で止めてしまう可能性がある。装着位置が中途の場合、誤って壊す可能性が生じる。
【００２１】
指置き台１６を利用することで、ユーザは安定した状態で指の爪を削ることができる。他方、爪の変形、または、指の太さ等の理由で、自由な向きと位置で爪を削りたいという要望もある。このような要望に応えるべく、本実施例では、指置き台１６を本体１２に対して横方向にスライドすることで指置き台１６を本体１２から外すことができる。
【００２２】
指置き台１６の厚みと奥行きは、爪を切断したい足の指を指置き台１６上におき、且つ、その隣の１または２本の指を指置き台１６の下側に位置させることが出来る程度に設定されている。換言すると、指置き台１６の厚みは、隣接する指で挟める程度であり、奥行きは、想定される指の長さより短い。このような厚みと奥行きに設定することで、足の指の爪を切る際に、隣接する指が邪魔にならない状態で目的の指の爪がヤスリに当接続する体勢を容易に実現できる。
【００２３】
本実施例では、指置き台１６の平面形状を図３に示すように円弧状としている。これにより、指置き台１６を挟むように指を置いた状態でも、ヤスリ板１４に対する指４０の向きを変更でき、その結果、足の指の爪などであっても、爪４２の正面部分のみでなく、側面部分についても容易に研磨できる。
【００２４】
本実施例の使用法を説明する。爪の手入れをしたい指の大きさや爪の長さに合わせて、ヤスリ板１４をヤスリ保持容器２０のスロット２０Ａまたは同２０Ｂに挿入する。図６に示すように、研磨したい爪４２の指４０を指置き台１６上に置き、爪４２をヤスリ板１４に当接させる。ヤスリ板１４の刃面が、図４を参照して説明したように、指置き台１６の垂線に並行な方向で山と谷になっているので、爪４２はヤスリ板１４の刃面の谷部分に入り込む。この状態で電源スイッチ２８をオンにすると、駆動回路２４が直動モータ２２を駆動し、直動モータ２２にヤスリ保持容器２０を、従って、装着されたヤスリ板１４を矢印２６に示すように横方向に往復移動させる。ヤスリ板１４は、この往復運動により当接する爪４２を削ることになる。
【００２５】
爪４２の側面に回って研磨したい場合は、指４０を指置き台１６上で回転させ、爪４２の研磨した部分をヤスリ板１４に当接させればよい。
【００２６】
足の指の爪を手入れする場合には、先に説明したように、手入れをしたい指を指置き台１６上に、隣の指を指置き台１６に位置するように指置き台１６を挟むことで、無関係の指が邪魔にならずに、目的の指の爪を手入れできる。
【００２７】
種々の方向から細かく手入れしたい場合、爪置き台１６を本体１２から外せば良い。必要により、ヤスリ板１４も、適した目の並びになっているものに交換する。
【００２８】
このように、本実施例によれば、指置き台１６上で安定した状態で使用できるので、老若男女を問わず、容易かつ安全に爪を手入れすることができる。ヤスリ保持容器２０の複数のスロット２０Ａ，２０Ｂを使い分けることで、指の大きさ及び爪の長さにも容易に対応できる。指の向きが拘束されないので、正面から側面に向かって幅広く爪を手入れできる。足の指のように隣接する指が邪魔になるような場合にも、必要な指の爪のみをヤスリに向けることができるので、安全に使用可能である。
【００２９】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００３０】
１０：爪削り器
１２：本体
１４：ヤスリ板
１６：指置き台
１６Ａ：突起
２０：ヤスリ保持容器
２０Ａ，２０Ｂ：スロット
２０Ｃ：開口
２２：直動モータ
２４：駆動回路
２６：直動モータによるヤスリ保持容器２０の移動方向
２８：電源スイッチ
３０：電池
３２：摩擦板
３４：受け溝
４０：指
４２：手入れしたい爪
【図１】
2018061780.tif 000003
【図２】
2018061780.tif 000004
【図３】
2018061780.tif 000005
【図４】
2018061780.tif 000006
【図５】
2018061780.tif 000007
【図６】
2018061780.tif 000008